(57)【要約】  本発明は、一般にキャッシュレス・トランザクションに関する。とりわけ、本発明は、キャッシュレス・トランザクションを実行するための方法（１００）および当該方法を実施するためのシステム（４００、５００）に関する。第１の態様では、キャッシュレス・トランザクションを処理する方法（１００）が提供される。この方法は、第１の識別デバイス（４２６）から第１の識別を決定するステップ（１０２）と、第１の識別に基づいて、キャッシュレス・トランザクションを事前許可するステップ（１０４）と、第２の識別デバイス（４２０Ａ）から第２の識別を決定するステップ（１０６）と、第１の識別および第２の識別が関連している場合、キャッシュレス・トランザクションを許可するステップ（１１０）と、を含む。【選択図】  図１
2008518332.tif 000002
【特許請求の範囲】
【請求項１】
第１の識別デバイスから第１の識別を決定するステップと、
第１の識別に基づいて、キャッシュレス・トランザクションを事前許可するステップと、
第２の識別デバイスから第２の識別を決定するステップと、
前記第１の識別および前記第２の識別が関連している場合、前記キャッシュレス・トランザクションを許可するステップと、
を含む、キャッシュレス・トランザクションを処理する方法。
【請求項２】
前記第１の識別デバイスから前記第１の識別を決定するステップが、前記第１の識別デバイスに対応する固有の識別子を決定するステップを含む、請求項１に記載の方法。
【請求項３】
前記キャッシュレス・トランザクションを事前許可するステップが、
第１の識別に基づいて前記第１の識別デバイスを使用することが許可されたユーザあるいはグループまたはユーザを識別するステップと、
第１の識別に基づいて前記トランザクションで使用されることになる１つまたは複数の金融アカウントを識別するステップと、
トランザクションを許可するために使用可能な、前記第１の識別デバイスに関連付けられた有効な第２の識別が存在するかどうかを判別するステップと、
キャッシュレス・トランザクションを実行するために前記第１の識別デバイスを使用することが許可されたユーザあるいはグループまたはユーザに関する、ユーザ・プロファイル・データを取り出すステップと、
前記トランザクションを許可するために合致しなければならない少なくとも１つの許可基準を決定するステップと、
のうちの、１つまたは複数を含む、請求項１または２のいずれか一項に記載の方法。
【請求項４】
前記第１の識別デバイスから前記第１の識別を決定するステップが、前記第１の識別デバイスから識別データを受け取るステップを含むことができる、前記請求項のいずれか一項に記載の方法。
【請求項５】
前記第１の識別デバイスから前記第１の識別を決定するステップが、前記第１の識別デバイスから前記識別データを読み取るステップをさらに含む、請求項４に記載の方法。
【請求項６】
前記第１の識別デバイスおよび前記第２の識別デバイスのうちのいずれか１つまたはその両方が、無線周波トランスポンダである、前記請求項のいずれか一項に記載の方法。
【請求項７】
前記許可基準（単数または複数）が、
前記トランザクションを実行する個人の識別、
前記トランザクションの額、
トランザクション額の限界、
ユーザ・アカウントの状況、
金融アカウントの状況、
金融収支、
前記トランザクションが実行される場所、
前記トランザクションの時間あるいは日付またはその両方、
前記第１の識別と前記第２の識別の間に形成された関連のタイプ、
のうちの、少なくとも１つの要素に基づくものである、前記請求項のいずれか一項に記載の方法。
【請求項８】
前記第２の識別デバイスから第２の識別を決定するステップが、前記第２の識別デバイスから識別データを受け取るステップを含む、前記請求項のいずれか一項に記載の方法。
【請求項９】
前記第２の識別デバイスから第２の識別を決定するステップが、前記第２の識別デバイスから前記識別データを読み取るステップをさらに含む、請求項９に記載の方法。
【請求項１０】
前記第２の識別デバイスが受動識別デバイスである、前記請求項のいずれか一項に記載の方法。
【請求項１１】
前記第２の識別デバイスがマシン読み取り可能証印を含む、請求項１０に記載の方法。
【請求項１２】
前記マシン読み取り可能証印が、１次元バーコードまたは２次元バーコード記号である、請求項１１に記載の方法。
【請求項１３】
前記第２の識別デバイスから前記第２の識別を決定するステップが、前記第２の識別デバイスに対応する固有の識別子を決定するステップを含む、前記請求項のいずれか一項に記載の方法。
【請求項１４】
前記方法が、前記第２の識別が前記第１の識別に関連付けられているかどうかを判別するステップをさらに含む、前記請求項のいずれか一項に記載の方法。
【請求項１５】
前記第２の識別が前記第１の識別に関連付けられているかどうかを判別するステップが、前記第１の識別デバイスが前記第２の識別デバイスに関連付けられているかどうかを判別するためにアカウント・データベースからデータを得るステップを含む、
請求項１４に記載の方法。
【請求項１６】
前記第２の識別が前記第１の識別に関連付けられているかどうかを判別するステップが、前記第１および第２の識別デバイスのうちの１つ（または両方）から受け取った暗号化されたデータの復号を試行するステップと、それぞれ他方の識別デバイスから受け取ったデータを使用するステップと、前記復号が正常に実行された場合、前記第２の識別デバイスと前記第１の識別デバイスとの間に形成された関連を検証するステップと、を含む、請求項１４または１５のいずれか一項に記載の方法。
【請求項１７】
前記第２の識別が前記第１の識別に関連付けられているかどうかを判別するステップが、前記識別デバイス間に関連が形成されたかどうかを判別するために、前記第１の識別デバイスから取得したデータの少なくとも一部を、前記第２の識別デバイスから取得したデータの少なくとも一部と比較するステップを含む、請求項１４から１６のいずれか一項に記載の方法。
【請求項１８】
前記第２の識別が、前記第１の識別デバイスに関連付けられた金融アカウントを識別するステップを含む、前記請求項のいずれか一項に記載の方法。
【請求項１９】
前記第２の識別が、前記第１の識別デバイスに関連付けられた金融アカウントを運用するように許可された個人を識別するステップを含む、前記請求項のいずれか一項に記載の方法。
【請求項２０】
事前許可が、前記第１の識別デバイスに関連付けられた複数の許可されたユーザまたは金融アカウントを識別する場合、前記第２の識別は、前記第１の識別デバイスに関連付けられたどのユーザあるいはどの金融アカウントまたはその両方が、トランザクションで使用されることになるかを識別するステップを含む、請求項１８または１９のいずれか一項に記載の方法。
【請求項２１】
前記方法が、前記トランザクションに関するトランザクション・データを格納するステップをさらに含む、前記請求項のいずれか一項に記載の方法。
【請求項２２】
前記トランザクション・データが、
トランザクション額データ、トランザクション参加者データ、前記トランザクションの性質を記述するデータ、前記第１の識別デバイスから決定された前記識別、前記第２の識別デバイスから決定された前記識別、前記トランザクションの時間あるいは日付またはその両方、前記トランザクションが実施された場所、のうちの、１つまたは複数のタイプのトランザクション・データを含む、請求項２１に記載の方法。
【請求項２３】
トランザクションを許可するために、ユーザから許可コードを受け取るステップをさらに含む、前記請求項のいずれか一項に記載の方法。
【請求項２４】
前記許可コードが個人識別番号（ＰＩＮ）またはパスワードである、請求項２３に記載の方法。
【請求項２５】
第１の識別デバイスからの第１の識別、および第２の識別デバイスからの第２の識別のうちの、少なくとも１つを読み取るように構成された、少なくとも１つの第１の読取装置と、
前記第１の識別と前記第２の識別が互いに関連付けられている場合、前記トランザクションを許可するように構成されたトランザクション処理システム・コンピュータと、
を含む、キャッシュレス・トランザクションを処理するためのシステム。
【請求項２６】
前記システムが、第２の識別デバイスから前記第２の識別を読み取るように構成された少なくとも１つの第２の読取装置をさらに含む、請求項２５に記載のシステム。
【請求項２７】
第１の識別デバイスからの第１の識別を読み取るように構成された、少なくとも１つの第１の読取装置と、
第２の識別デバイスからの第２の識別を読み取るように構成された、少なくとも１つの第２の読取装置と、
前記第１の識別および前記第２の識別が互いに関連付けられている場合、前記トランザクションを許可するように構成されたトランザクション処理システム・コンピュータと、
を含む、キャッシュレス・トランザクションを処理するためのシステム。
【請求項２８】
複数のユーザ・アカウントに関するアカウント・データと、少なくとも１つのそれぞれの第１の識別デバイスに対応する少なくとも１つの識別子を含む各ユーザ・アカウントに関するアカウント・データと、少なくとも１つのそれぞれの第２の識別デバイスに対応する少なくとも１つの関連付けられた識別子と、を含む、アカウント・データベースを格納する、前記トランザクション処理システム・コンピュータと通信するデータ格納手段をさらに含む、請求項２５から２７のいずれか一項に記載のシステム。
【請求項２９】
前記アカウント・データが、トランザクションで使用可能な前記ユーザ・アカウントに関連付けられた少なくとも１つの金融アカウントを識別する、金融アカウント・データを含む、請求項２８に記載のシステム。
【請求項３０】
前記トランザクション処理システム・コンピュータが、前記第１の識別および前記第２の識別が同じユーザ・アカウントに関連付けられているかどうかを判別するために、前記第１の識別に基づいて前記データベースからデータを得るようにさらに構成される、請求項２５から２９のいずれか一項に記載のシステム。
【請求項３１】
前記トランザクション処理システム・コンピュータが、前記第１の識別および前記第２の識別が前記同じユーザ・アカウントに関連付けられているかどうかを判別するために、それぞれの他方の識別デバイス識別から受け取ったデータを使用して、前記第１および前記第２の識別デバイスのうちの１つ（または両方）から受け取った暗号化されたデータを復号するようにさらに構成される、請求項２５から３０のいずれか一項に記載のシステム。
【請求項３２】
前記復号が正常に実行された場合、前記トランザクション処理システム・コンピュータが、前記第２の識別デバイスと前記第１の識別デバイスとの間に関連が形成されたことを検証するように構成される、請求項３１に記載のシステム。
【請求項３３】
ユーザ・アカウントが、複数の第２の識別デバイスに対応する複数の第２の識別子を含む場合、金融アカウントが前記第２の識別子のサブセットに関連付けられる、請求項２８から３２のいずれか一項に記載のシステム。
【請求項３４】
前記トランザクション処理システム・コンピュータが、前記第１の識別に基づいて、キャッシュレス・トランザクションを事前許可するようにさらに構成される、請求項２５から３３のいずれか一項に記載のシステム。
【請求項３５】
キャッシュレス・トランザクションの事前許可が、
前記第１の識別に対応するユーザ・アカウントが少なくとも１つの関連する第２の識別子を有することを、前記アカウント・データベースから識別するステップと、
前記第１の識別に対応する複数のユーザ・アカウントそれぞれの第２の識別子のグループを識別するステップと、
第１の識別に基づいて、前記トランザクションで使用されることになる金融アカウントを識別するステップと、
前記トランザクションを許可するために合致しなければならない少なくとも１つの許可基準を決定するステップと、
のうちの、１つまたは複数を含む、請求項３４に記載のシステム。
【請求項３６】
前記第１または前記第２の識別デバイスのうちの１つまたは両方が能動識別デバイスである場合、前記第１または前記第２の読取装置のうちの少なくとも１つが、前記第１または前記第２の識別デバイスのうちの１つまたは両方からの伝送を受信するように構成された受信機を含む、請求項２５から３５のいずれか一項に記載のシステム。
【請求項３７】
前記第１または前記第２の読取装置のうちの少なくとも１つが、前記第１または前記第２の識別デバイスのうちの１つまたは両方へ励磁信号を送信するように構成された送信機を含む、請求項３６に記載のシステム。
【請求項３８】
前記第１または前記第２の識別デバイスのうちの１つまたは両方が能動識別デバイスである場合、前記励磁信号が、前記第１または前記第２の識別デバイスのうちの１つまたは両方からの応答をトリガするように構成される、請求項３７に記載のシステム。
【請求項３９】
前記第１または前記第２の識別デバイスのうちの１つまたは両方が受動識別デバイスである場合、前記励磁信号が、前記第１または前記第２の識別デバイスのうちの１つまたは両方によって少なくとも部分的に反映されるように構成される、請求項３７または３８のいずれか一項に記載のシステム。
【請求項４０】
前記第１および前記第２の読取装置が異なるタイプである、請求項２６から３９のいずれか一項に記載のシステム。
【請求項４１】
前記第１および前記第２の読取装置のうちの少なくとも１つが、無線周波トランスポンダ読取装置である、請求項２５から４０のいずれか一項に記載のシステム。
【請求項４２】
前記第２の読取装置が記号読取装置である、請求項２６から４１のいずれか一項に記載のシステム。
【請求項４３】
前記トランザクション処理システム・コンピュータおよび前記少なくとも１つの読取装置とデータ通信中の、リモート端末をさらに含み、前記少なくとも１つの読取装置からの識別データを受信するように、および前記識別データを前記トランザクション処理システム・コンピュータに送信するように、構成される、請求項２５から４２のいずれか一項に記載のシステム。
【請求項４４】
前記リモート端末が、販売者または他のトランザクション参加者の売り場専用システムと通信するように構成された、インターフェース構成要素を含む、請求項４３に記載のシステム。
【請求項４５】
前記インターフェース構成要素が、前記トランザクション処理システム・コンピュータと通信するために、前記キャッシュレス・トランザクション用のトランザクション・データを受信するように構成される、請求項４４に記載のシステム。
【請求項４６】
前記システムが、ユーザ・アカウントの確立あるいは編集またはその両方が実行可能なように構成された、アカウント・インターフェース構成要素をさらに含む、請求項２５から４５のいずれか一項に記載のシステム。
【請求項４７】
前記アカウント・インターフェース構成要素が、ウェブサイトとして実施される、請求項４６に記載のシステム。
【請求項４８】
第１の識別デバイスのユーザによってキャッシュレス・トランザクションを実行するために使用されることになるアカウントの確立を実行可能にする方法であって、前記キャッシュレス・トランザクションが、第２の識別デバイスを使用して許可され、前記方法が、
アカウント・データを格納するためのアカウント・データベースを提供するステップと、
第１の識別デバイスを識別するデータと、
第２の識別デバイスを識別するデータと、
少なくとも１つの金融アカウントに関する金融アカウント・データと、
を含むアカウント・データを、ユーザから受信するステップと、
前記第１の識別デバイスと、前記第２の識別デバイスと、少なくとも１つの金融アカウントとの間に、関連を確立することによって、前記キャッシュレス・トランザクション処理システム内で使用するためのアカウントを作成するステップと、
を含む、方法。
【請求項４９】
トランザクションを許可するために、前記第２の識別デバイスと共に使用されることになる許可コードを受信するステップをさらに含む、請求項４８に記載の方法。
【請求項５０】
前記許可コードは、個人識別番号またはパスワードとすることができる。前記許可コードは、前記第１あるいは前記第２の識別デバイスまたはその両方から受信したデータを復号するために、使用することができる、請求項４９に記載の方法。
【請求項５１】
１つまたは複数の第２の識別デバイスを、第１の識別デバイスのユーザに配布するステップをさらに含む、請求項４８から５０のいずれか一項に記載の方法。
【請求項５２】
１つまたは複数の第２の識別デバイスを配布するステップが、第２の識別デバイスの生成を可能にするために、第２の識別デバイスを代表するデータを送信するステップを含む、請求項５１に記載の方法。
【請求項５３】
第１の識別デバイスに関連付けられていない複数の固有の第２の識別デバイスを提供するステップをさらに含む、請求項４８から５２のいずれか一項に記載の方法。
【請求項５４】
関連が、所定の第１の識別デバイスとのみ関連付けることができるように、所定の第１の識別デバイスと事前に関連付けられた第２の識別デバイスを提供するステップをさらに含む、請求項４８から５２のいずれか一項に記載の方法。
【請求項５５】
前記第１の識別デバイスと、前記複数の第２の識別デバイスのうちの少なくとも１つとの間に、前記関連を確立するステップが、前記アカウント・データベース内に格納するために、
前記第１の識別デバイスのユーザの名前と、
前記第２の識別デバイスに関連付けられた識別子と、
前記ユーザに関する人口統計データと、
キャッシュレス・トランザクションで使用されることになるアカウントに関する金融アカウント・データと、
のうちの、少なくとも１つのタイプのデータを取得するステップを含む、請求項５４に記載の方法。
【請求項５６】
前記アカウント・データベースの更新を可能にするために、少なくとも１つのウェブ・ページを含むウェブサイトを提供するステップをさらに含む、請求項４８から５５のいずれか一項に記載の方法。
【請求項５７】
前記第１の識別デバイスに関する前記アカウント・データを更新するステップが、前記第１の識別デバイスの許可されたユーザによってのみ実行可能である、請求項５６に記載の方法。
【請求項５８】
複数の第２の識別デバイスを、前記第１の識別デバイスに関連付けることができる、請求項４８から４７のいずれか一項に記載の方法。
【請求項５９】
前記第１の識別デバイスの各ユーザが、固有の第２の識別デバイスに関連付けられる、請求項５８に記載の方法。
【請求項６０】
前記第１の識別デバイスが無線周波識別デバイスである、請求項４８から５９のいずれか一項に記載の方法。
【請求項６１】
前記第２の識別デバイスが、バーコードまたは２次元記号を含む、請求項４８から６０のいずれか一項に記載の方法。
【請求項６２】
第１の識別デバイスのユーザによってキャッシュレス・トランザクションを実行するために使用されることになるアカウントを確立する方法であって、前記キャッシュレス・トランザクションが、第２の識別デバイスを使用して許可され、前記方法が、
第１の識別デバイスを識別するデータと、
少なくとも１つの金融アカウントに関する金融アカウント・データと、
を含むアカウント・データを、ユーザから受信するステップと、
前記アカウントを使用するキャッシュレス・トランザクションを許可する際に使用するために、第２の識別デバイス内に符号化されることになる識別データを生成するステップと、
を含む、方法。
【請求項６３】
第２の識別デバイス内に符号化するための前記識別データを、ユーザに送信するステップをさらに含む、請求項６２に記載の方法。
【請求項６４】
前記識別データを使用する前記第２の識別デバイスを生成するステップをさらに含む、請求項６３に記載の方法。
【請求項６５】
前記第２の識別デバイスから取得されたデータが暗号化され、前記許可コードが、前記データを復号するために使用される復号スキームの一部を形成する、請求項１から２４のいずれか一項に記載の方法。
【発明の詳細な説明】
【技術分野】
【０００１】
本発明は、一般にキャッシュレス・トランザクションに関する。とりわけ、本発明は、キャッシュレス・トランザクションを実行するための方法および当該方法を実施するためのシステムに関する。
【背景技術】
【０００２】
キャッシュレス・トランザクションはますます一般的になりつつあり、消費者は自分達の購買に対して支払う場合に、従来の支払い方法から電子的な方法へと急速に切り替えている。
【０００３】
キャッシュレス・トランザクションの処理は、キャッシュを使用する等価のトランザクションよりも、販売者と顧客の双方にとって、より時間のかかるものである場合がある。たとえば、クレジット・カード支払いを受け付けるための従来のプロセスは、販売者がクレジット・カードを手動で読み取り装置に掛けること、および手作業でクレジット・カードのスリップを完了することを含むものであった。さらに最近では、クレジット・カード・トランザクションおよびデビット・カード・トランザクションは、電子システムを使用して行われてきた。こうした変化にもかかわらず、電子システムが、通常はトランザクションを完了するためにクレジット・カードまたはデビット・カードの保持者によるトランザクションの認証を必要とするため、これらのトランザクションは依然として、比較的遅い可能性がある。クレジット・カードの場合、通常、認証にはカード保持者のサインが必要であり、販売者は受け取ったサインとカード上のサインとを比較する必要がある。デビット・カード・トランザクションの場合、通常、認証にはカード・ユーザが個人識別番号（ＰＩＮ）を売り場のトランザクション端末（a point of service transaction terminal）に入力する必要がある。
【０００４】
これらの電子システムは、ある程度自動化されているにもかかわらず、依然として販売者および時間がかかる可能性がある。トランザクション速度は、顧客の利便性が重要であり、トランザクションが遅いと最終的に売上げの減少につながる、ファスト・フード・レストランまたはガソリン・スタンドなどの、多数の比較的金額の安いトランザクションを処理するトランザクション環境で、特に問題のある可能性がある。
【発明の開示】
【発明が解決しようとする課題】
【０００５】
したがって、既知のキャッシュレス・トランザクション・システムの前述の欠点のうちの１つまたは複数に対処することができる、キャッシュレス・トランザクションの代替形式が求められている。
【課題を解決するための手段】
【０００６】
本発明の第１の態様では、
第１の識別デバイスから第１の識別を決定するステップと、
第１の識別に基づいて、キャッシュレス・トランザクションを事前許可（pre-authorising）するステップと、
第２の識別デバイスから第２の識別を決定するステップと、
第１の識別および第２の識別が関連している場合、キャッシュレス・トランザクションを許可するステップと、
を含む、キャッシュレス・トランザクションを処理する方法を提供する。
【０００７】
第１の識別デバイスから第１の識別を決定するステップは、第１の識別デバイスに対応する固有の識別子を決定するステップを含むことができる。
【０００８】
キャッシュレス・トランザクションを事前許可するステップは、
第１の識別に基づいて第１の識別デバイスを使用することが許可されたユーザあるいはグループまたはユーザを識別するステップと、
第１の識別に基づいてトランザクションで使用されることになる１つまたは複数の金融アカウントを識別するステップと、
トランザクションを許可するために使用可能な、第１の識別デバイスに関連付けられた有効な第２の識別が存在するかどうかを判別するステップと、
キャッシュレス・トランザクションを実行するために第１の識別デバイスを使用することが許可されたユーザあるいはグループまたはユーザに関する、ユーザ・プロファイル・データを取り出すステップと、
トランザクションを許可するために合致しなければならない少なくとも１つの許可基準を決定するステップと、
のうちの、１つまたは複数を含むことができる。
【０００９】
第１の識別デバイスから第１の識別を決定するステップは、第１の識別デバイスから識別データを受け取るステップを含むことができる。さらに、第１の識別デバイスから識別データを読み取るステップも含むことができる。
【００１０】
好ましくは、第１の識別デバイスは無線周波トランスポンダ（transponder）である。
【００１１】
許可基準（単数または複数）は、
トランザクションを実行する個人の識別、
トランザクションの額、
トランザクション額の限界、
ユーザ・アカウントの状況、
金融アカウントの状況、
金融収支、
トランザクションが実行される場所、
トランザクションの時間あるいは日付またはその両方、及び
第１の識別と第２の識別の間に形成された関連のタイプ、
のうちの、少なくとも１つの要素に基づくものとすることができる。
【００１２】
第２の識別デバイスから第２の識別を決定するステップは、第２の識別デバイスから識別データを受け取るステップを含むことができる。さらに、第２の識別デバイスから識別データを読み取るステップも含むことができる。
【００１３】
第２の識別デバイスは、好ましくは受動識別デバイスである。第２の識別デバイスは、マシン読み取り可能証印（indicium）を含むことができる。好ましくは、マシン読み取り可能証印は、１次元バーコードまたは２次元バーコード記号である。
【００１４】
第２の識別デバイスから第２の識別を決定するステップは、第２の識別デバイスに対応する固有の識別子を決定するステップを含むことができる。
【００１５】
この方法は、第２の識別が第１の識別に関連付けられているかどうかを判別するステップを含むことができる。第２の識別が第１の識別に関連付けられているかどうかを判別するステップは、第１の識別デバイスが第２の識別デバイスに関連付けられているかどうかを判別するためにアカウント・データベースからデータを得る（interrogate）ステップを含むことができる。
【００１６】
第２の識別が第１の識別に関連付けられているかどうかを判別するステップは、第１および第２の識別デバイスのうちの１つ（または両方）から受け取った暗号化されたデータの復号を試行するステップと、それぞれ他方の識別デバイスから受け取ったデータを使用するステップと、復号が正常に実行された場合、第２の識別デバイスと第１の識別デバイスとの間に形成された関連を検証するステップと、を含むことができる。
【００１７】
第２の識別が第１の識別に関連付けられているかどうかを判別するステップは、識別デバイス間に関連が形成されたかどうかを判別するために、第１の識別デバイスから取得したデータの少なくとも一部を、第２の識別デバイスから取得したデータの少なくとも一部と比較するステップを含むことができる。
【００１８】
第２の識別は、第１の識別デバイスに関連付けられた金融アカウントを識別するステップを含むことができる。第２の識別は、第１の識別デバイスに関連付けられた金融アカウントを運用するように許可された個人を識別するステップを含むことができる。
【００１９】
事前許可が、第１の識別デバイスに関連付けられた複数の許可されたユーザまたは金融アカウントを識別する場合、第２の識別は、第１の識別デバイスに関連付けられたどのユーザあるいはどの金融アカウントまたはその両方が、トランザクションで使用されることになるかを識別するステップを含むことができる。
【００２０】
この方法は、トランザクションに関するトランザクション・データを格納するステップを含むこともできる。好ましくは、トランザクション・データは、トランザクション額データ、トランザクション参加者データ、トランザクションの性質を記述するデータ、第１の識別デバイスから決定された識別、第２の識別デバイスから決定された識別、トランザクションの時間あるいは日付またはその両方、および、トランザクションが実施された場所、のうちの、１つまたは複数のタイプのトランザクション・データを含む。
【００２１】
オプションで、この方法は、トランザクションを許可するために、ユーザから許可コードを受け取るステップを含むことができる。好ましくは、許可コードは個人識別番号（ＰＩＮ）またはパスワードである。
【００２２】
ある実施形態では、第２の識別デバイスから取得したデータを暗号化することができる。このような場合、許可コードは、当該データを復号するために使用される復号スキームの一部を形成することができる。
【００２３】
第２の態様では、本発明は、第１の識別デバイスから第１の識別を読み取るように構成された少なくとも１つの第１の読取装置と、第２の識別デバイスから第２の識別を読み取るように構成された少なくとも１つの第２の読取装置と、第１の識別と第２の識別が互いに関連付けられている場合、トランザクションを許可するように構成されたトランザクション処理システム・コンピュータと、を含む、キャッシュレス・トランザクションを処理するためのシステムを提供する。
【００２４】
第３の態様では、本発明は、
第１の識別デバイスからの第１の識別および第２の識別デバイスからの第２の識別のうちの、少なくとも１つを読み取るように構成された、少なくとも１つの第１の読取装置と、
第１の識別および第２の識別が互いに関連付けられている場合、トランザクションを許可するように構成されたトランザクション処理システム・コンピュータと、
を含む、キャッシュレス・トランザクションを処理するためのシステムを提供する。
【００２５】
システムは、第２の識別デバイスから第２の識別を読み取るように構成された、少なくとも１つの第２の読取装置を含むことができる。
【００２６】
システムは、複数のユーザ・アカウントに関するアカウント・データと、少なくとも１つのそれぞれの第１の識別デバイスに対応する少なくとも１つの識別子を含む各ユーザ・アカウントに関するアカウント・データと、少なくとも１つのそれぞれの第２の識別デバイスに対応する少なくとも１つの関連付けられた識別子と、を含む、アカウント・データベースを格納する、トランザクション処理システム・コンピュータと通信するデータ格納手段を含むことができる。アカウント・データは、トランザクションで使用可能なユーザ・アカウントに関連付けられた少なくとも１つの金融アカウントを識別する、金融アカウント・データを含むこともできる。
【００２７】
さらにトランザクション処理システム・コンピュータは、第１の識別および第２の識別が同じユーザ・アカウントに関連付けられているかどうかを判別するために、第１の識別に基づいてデータベースからデータを得るように構成することもできる。
【００２８】
さらにトランザクション処理システム・コンピュータは、第１の識別および第２の識別が同じユーザ・アカウントに関連付けられているかどうかを判別するために、それぞれの他方の識別デバイス識別から受け取ったデータを使用して、第１および第２の識別デバイスのうちの１つ（または両方）から受け取った暗号化されたデータを復号するように構成することもできる。
【００２９】
復号が正常に実行された場合、トランザクション処理システム・コンピュータは、第２の識別デバイスと第１の識別デバイスとの間に関連が形成されたことを検証するように構成される。
【００３０】
ユーザ・アカウントが、複数の第２の識別デバイスに対応する複数の第２の識別子を含む場合、金融アカウントを第２の識別子のサブセットに関連付けることができる。
【００３１】
さらにトランザクション処理システム・コンピュータは、第１の識別に基づいて、キャッシュレス・トランザクションを事前許可するように構成することもできる。
【００３２】
キャッシュレス・トランザクションの事前許可は、
第１の識別に対応するユーザ・アカウントが少なくとも１つの関連する第２の識別子を有することを、アカウント・データベースから識別するステップと、
第１の識別に対応する複数のユーザ・アカウントそれぞれの第２の識別子のグループを識別するステップと、
第１の識別に基づいて、トランザクションで使用されることになる金融アカウントを識別するステップと、
トランザクションを許可するために合致しなければならない少なくとも１つの許可基準を決定するステップと、
のうちの、１つまたは複数を含むことができる。
【００３３】
第１または第２の識別デバイスのうちの１つまたは両方が能動識別デバイスである場合、少なくとも１つの読取装置は、第１または第２の識別デバイスのうちの１つまたは両方からの伝送を受信するように構成された受信機を含むことができる。
【００３４】
読取装置は、第１または第２の識別デバイスのうちの１つまたは両方へ励磁信号を送信するように構成された送信機を含むことができる。
【００３５】
第１または第２の識別デバイスのうちの１つまたは両方が能動識別デバイスである場合、励磁信号は、第１または第２の識別デバイスのうちの１つまたは両方からの応答をトリガするように、あるいは、識別デバイスによって送信される信号を生成するように、構成することができる。
【００３６】
第１または第２の識別デバイスのうちの１つまたは両方が受動識別デバイスである場合、励磁信号は、第１または第２の識別デバイスのうちの１つまたは両方によって少なくとも部分的に反映されるように構成することができる。
【００３７】
好ましくは、システムは、第１の識別デバイスから第１の識別を読み取るように構成された第１の読取装置と、第２の識別デバイスから第２の識別を読み取るように構成された第２の読取装置との、２つの読取装置を含む。好ましくは、２つの読取装置は異なるタイプである。
【００３８】
好ましくは、第１の読取装置は、無線周波トランスポンダ・タグ読取装置である。
【００３９】
好ましくは、第２の読取装置は記号読取装置である。
【００４０】
システムは、オプションで、トランザクション処理システム・コンピュータおよび少なくとも１つの読取装置とデータ通信中の、リモート端末を含むこと、ならびに、少なくとも１つの読取装置からの識別データを受信するように、および当該識別データをトランザクション処理システム・コンピュータに送信するように、構成することも可能である。
【００４１】
リモート端末は、販売者または他のトランザクション参加者の売り場専用システムと通信するように構成された、インターフェース構成要素を含むことができる。インターフェース構成要素は、トランザクション処理システム・コンピュータと通信するために、キャッシュレス・トランザクション用のトランザクション・データを受信するように構成することができる。
【００４２】
システムは、ユーザ・アカウントの確立あるいは編集またはその両方が実行可能なように構成された、アカウント・インターフェース構成要素を、さらに含むことができる。アカウント・インターフェース構成要素は、ウェブサイトとして実施することができる。
【００４３】
第４の態様では、本発明は、第１の識別デバイスのユーザによってキャッシュレス・トランザクションを実行するために使用されることになるアカウントの確立を実行可能にする方法を提供し、当該キャッシュレス・トランザクションは、第２の識別デバイスを使用して許可され、当該方法は、
アカウント・データを格納するためのアカウント・データベースを提供するステップと、
第１の識別デバイスを識別するデータと、
第２の識別デバイスを識別するデータと、
少なくとも１つの金融アカウントに関する金融アカウント・データと、
を含むアカウント・データを、ユーザから受信するステップと、
第１の識別デバイスと、第２の識別デバイスと、少なくとも１つの金融アカウントとの間に、関連を確立することによって、キャッシュレス・トランザクション処理システム内で使用するためのアカウントを作成するステップと、
を含む。
【００４４】
この方法は、トランザクションを許可するために、第２の識別デバイスと共に使用されることになる許可コードを確立するステップも含むことができる。
【００４５】
許可コードは、個人識別番号またはパスワードとすることができる。許可コードは、第１あるいは第２の識別デバイスまたはその両方から受信したデータを復号するために、使用することができる。
【００４６】
この方法は、１つまたは複数の第２の識別デバイスを、第１の識別デバイスのユーザに配布するステップを含むことができる。
【００４７】
１つまたは複数の第２の識別デバイスを配布するステップは、第２の識別デバイスの生成を可能にするために、第２の識別デバイスを代表するデータを送信するステップを含むことができる。
【００４８】
この方法は、第１の識別デバイスに関連付けられていない複数の固有の第２の識別デバイスを提供するステップを含むことができる。
【００４９】
この方法は、関連が、当該所定の第１の識別デバイスとのみ関連付けることができるように、所定の第１の識別デバイスと事前に関連付けられた第２の識別デバイスを提供するステップを含むことができる。
【００５０】
第１の識別デバイスと、当該複数の第２の識別デバイスのうちの少なくとも１つとの間に、関連を確立するステップは、アカウント・データベース内に格納するために、
第１の識別デバイスのユーザの名前と、
第２の識別デバイスに関連付けられた識別子と、
ユーザに関する人口統計データと、
キャッシュレス・トランザクションで使用されることになるアカウントに関する金融アカウント・データと、
のうちの、少なくとも１つのタイプのデータを取得するステップを含む。
【００５１】
好ましくは、この方法は、アカウント・データベースの更新を可能にするために、少なくとも１つのウェブ・ページを含むウェブサイトを提供するステップを含む。
【００５２】
好ましくは、第１の識別デバイスに関するアカウント・データを更新するステップは、第１の識別デバイスの許可されたユーザによってのみ実行可能である。
【００５３】
複数の第２の識別デバイスを、第１の識別デバイスに関連付けることができる。この場合、第１の識別デバイスの各ユーザが、固有の第２の識別デバイスに関連付けられることが好ましい。
【００５４】
第１の識別デバイスは、好ましくは無線周波識別デバイスである。第２の識別デバイスは、好ましくはバーコード、２次元記号、またはＲＦＩＤトークンを含む。
【００５５】
第５の態様では、本発明は、第１の識別デバイスのユーザによってキャッシュレス・トランザクションを実行するために使用されることになるアカウントを確立する方法を提供し、当該キャッシュレス・トランザクションは、第２の識別デバイスを使用して許可され、当該方法は、
第１の識別デバイスを識別するデータと、
少なくとも１つの金融アカウントに関する金融アカウント・データと、
を含むアカウント・データを、ユーザから受信するステップと、
アカウントを使用するキャッシュレス・トランザクションを許可する際に使用するために、第２の識別デバイス内に符号化されることになる識別データを生成するステップと、
を含む。
【００５６】
この方法は、第２の識別デバイス内に符号化するための識別データを、ユーザに送信するステップを含むことができる。
【００５７】
この方法は、当該識別データを使用する当該第２の識別デバイスを生成するステップを含むことができる。
【００５８】
次に、本発明の例示的諸実施形態について、添付の図面を参照しながら、限定的でない単なる例として説明する。
【発明を実施するための最良の形態】
【００５９】
本発明者等は、個人（または個人のグループ）を識別するために使用可能な既存のマシン読取可能識別デバイスのプールを使用して、これらのデバイスのキャッシュレス・トランザクションを実行するためのシステムを確立することができることを特定付けた。
【００６０】
図１は、本発明の第１の実施形態にかかるキャッシュレス・トランザクションを処理するための方法のステップを示すフローチャート１００である。たとえばキャッシュレス・トランザクションは、一方の当事者から他方へと金銭的価値が移転される、購買または返済、あるいは他のタイプのトランザクションとすることができる。概要として、本実施形態では、第１の識別デバイスから決定された第１の識別に基づいて、たとえば商品の購入者などのトランザクションの当事者のうちの１人のアカウントに対して、キャッシュレス・トランザクションが処理され、トランザクションは第２の識別デバイスを使用して許可される。
【００６１】
したがって、方法１００は、第１の識別デバイスを使用して第１の識別を決定するステップ１０２によって開始される。第１の識別デバイスは、好ましくは、道路通行料などの支払いに使用されるタイプの無線周波ＩＤタグなどのデバイスである。次のステップでは、ステップ１０２で第１の識別デバイスから導出された識別情報をステップ１０４で使用して、トランザクションを事前許可する。この事前許可は、
・トランザクションで使用するために１つまたはグループの金融アカウントが存在するか否かを判別するプロセス、
・たとえば、アカウントが貸し方であるか借り方であるか、活動状態であるか一時停止常態であるかなど、第１の識別デバイスに関連付けられた任意の金融アカウントの状況を決定するプロセス、
・第１の識別が、トランザクションを許可するために使用可能な第２の識別デバイスに関連付けられているかどうかを判別するプロセス、
・第２の識別デバイスが存在する場合、事前許可が、第２の識別デバイスに関連するデータをデータベースから取り出すことを含むことが可能であるプロセス、
・識別に関するユーザのプロファイルまたは購買履歴を取り出すプロセス、
・識別デバイス・ユーザに関する顧客のロイヤルティ・プログラム、ディスカウント・データなどを取り出すプロセス、
・トランザクションの処理を許可するために合致しなければならない任意の許可基準が存在するかどうかを確認するプロセス、
などの、サブ・プロセスの範囲を含むことができる。
【００６２】
許可基準は、トランザクションの額が所定の範囲内にあるかどうか、トランザクションを実行する当事者の識別、トランザクションが実行されている日付および時刻、を含む要素に関係することができるが、これらに限定されることはない。当業者であれば、許可基準の基にすることが可能な他の要素を容易に識別することができる。これらは、トランザクションのセキュリティ、または特定のトランザクションを実行可能にしたいというアカウント保持者の要求に、影響を与える要素である可能性がある。たとえば、金融アカウントの保持者は、このキャッシュレス・トランザクション方法を使用する一定の店舗とのトランザクションのみが可能である場合があり、これには、一定のガソリン・スタンドまたはファスト・フード・レストランが含まれる場合がある。第１の識別デバイスの保持者は、この様式で実行される一定の金銭的価値までのトランザクションのみが可能である場合がある。より価値の高いトランザクションは、個人識別番号（ＰＩＮ）またはパスワードなどの追加の許可基準を使用して許可される必要がある場合がある。
【００６３】
第１の識別および事前許可ステップは、それぞれの読取装置による第１の識別デバイスの読み取りが可能となるとすぐに、実行することができる。したがって、顧客が購入またはサービスの注文を実行する前に、事前許可ステップを完了することが可能である。この点に関して、第１の識別は、顧客が販売者の店内に入った時点で、あるいは、ユーザが自分の車を販売者の店舗の駐車場に入れるか、またはサービス・レーンを「ドライブ・スルー」した時点で、実行することが可能である。
【００６４】
当業者であれば理解されるように、トランザクションを完了する前、あるいは、顧客が販売カウンタに到着する前、または特定の製品またはサービスを注文する前ですら、販売者にとって顧客のデータを取得する機能が有利な場合がある。たとえば、このトランザクションでは、顧客の追加の購入を誘発するためにインセンティブまたはディスカウントを提示することができる。これは、通常、現在のトランザクションが完了した後、次回の購入でのディスカウントを提示することによって、店舗を再訪するインセンティブを提示する、顧客の消費性向に影響を与えるためにインセンティブを使用する、ほとんどのシステムで異なる。
【００６５】
次のステップ１０６では、第２の識別デバイスに基づいて第２の識別が決定される。このステップ１０６は、顧客が自分の購入または注文を完結し、顧客がキャッシュレス支払いシステムを使用して自分のトランザクションに対して支払う意思を確定するまで、遅延される。トランザクションを許可するために第２の識別デバイスが使用されない場合、他の形の支払いを使用して完了しなければならない。第２の識別デバイスは、好ましくは、第１の識別デバイスを使用してトランザクションを実行する個人に対応する、固有の識別子を提供する。したがって第２の識別デバイスは、トランザクションに対するデジタル署名を効果的に提供する。
【００６６】
追加のセキュリティが必要な本発明の一定の実施形態では、個人識別番号（ＰＩＮ）またはパスワードを使用して、トランザクションを許可することができる。一例では、ＰＩＮまたはパスワードは、第２の識別デバイスから読み取られたデータを復号するために使用される、暗号鍵の一部を形成することができる。第２の識別デバイスの許可されたユーザのみがこのパスワードを知っていると想定すると、許可されたユーザによってトランザクションが実行されることが保証される。
【００６７】
複数の人物が同じ第１の識別デバイスを使用してトランザクションを実行することが許可されることになる状況が存在する場合がある。この場合、複数の第２の識別デバイスを使用することが可能であり、第２の識別子はそれぞれ第１の識別デバイスの異なるユーザに対応する。この場合、第２の識別デバイスは、トランザクションをデジタル処理で許可することに加えて、第１の識別デバイスのどのユーザがトランザクションに参加しているかを識別する働きをする。同じ第１の識別されたデバイスを使用する顧客を区別することによって、彼らの購入を正しい金融アカウントに請求することができる。さらに、第２の識別デバイスとそのユーザとの間に１対１の関係を作成することによって、個人に関する購買プロファイルを構築することが可能である。このプロファイルは、とりわけ、マーケティング材料を個人に向けて送るか、または、ロイヤルティまたは報酬プログラムで使用するための購入を追跡するために、使用することができる。
【００６８】
次のステップ１０８では、ステップ１０２で実行された第１の識別および１０６で実行された第２の識別が、互いに関連付けられているかどうかを判別するためのチェックが行われる。それらが関連付けられている場合、ステップ１１０でトランザクションは許可される。それらが関連付けられていない場合、ステップ１１２でトランザクションは許可されない。したがってステップ１０８は、書式または第２の識別デバイス内のデジタル署名が、第１の識別子と共に使用するのに有効であるかどうかを、効果的にチェックする。
【００６９】
以下で説明するように、本発明のある一定の実施では、第１の識別（および好ましくはトランザクションの事前許可も）は、自動的に、すなわち顧客あるいは販売者またはその両方によって開始されることなく、実行される。こうしたシステムを使用する場合、第１の識別および事前許可は、顧客が購入を決定する前に、または、顧客が自分の購入に対してどのように支払うかを決定する前に、実施することが可能である。顧客が購入しないか、あるいはキャッシュでの支払いまたは他の形の支払いを選択する場合、トランザクションが処理されることなく、この方法は中止される。
【００７０】
本発明のほとんどの実施形態では、第１の識別デバイスのユーザが、それぞれの第２の識別デバイスをトランザクション処理システム・オペレータに登録することによって、関連が形成されることになる。こうした関連を作成するためのプロセスについて、以下でより詳細に説明する。
【００７１】
図１に関して説明した方法を理解しやすくするために、図２は、こうした方法を実施するように構成されたシステムの概略実施形態を示す。システム２００は、図１で説明した方法を実施するように構成された支払いシステム・ソフトウェアを実行する、支払いシステム・サーバ２０２を含む。支払いシステム・サーバ２０２は、コンピュータ・ネットワーク２０６を介して、支払いシステム販売者端末２０４に接続される。コンピュータ・ネットワーク２０６は、ワイド・エリア・ネットワークまたはインターネットとすることが可能である。支払いシステム販売者端末２０４は、ネットワークのオプション部分であり、本発明の他の実施形態では、その機能を支払いシステム・サーバ２０２または販売者の売り場専用端末内に提供することができる。本実施形態では、支払いシステム販売者端末２０４は、販売者の売り場専用端末２０８と支払いシステム・サーバ２０２との間のインターフェースを提供する。
【００７２】
使用に際しては、売り場専用端末２０８を使用して、顧客による商品またはサービスの購入などのトランザクションを従来の方法で処理するが、トランザクションに対する支払いの時点になると、キャッシュ、クレジット・カード、または他の支払い手段によって実行される支払い以外の支払いの場合に、トランザクションの詳細が支払いシステム・サーバ２０２に送信される。
【００７３】
支払いシステム販売者端末２０４は、２つの識別デバイス読取装置２１０および２１２にも結合される。例示的な実施形態では、２つの識別デバイス読取装置は異なるタイプであり、異なるタイプのマシン読み取り可能識別デバイスから識別データを読み取るように構成される。たとえば、本発明の好ましい実施形態では、読取装置２１０はＲＦＩＤタグ読取装置であり、読取装置２１２は２次元記号読取装置である。
【００７４】
使用に際して、支払いシステム・サーバ２０２に登録されたアカウントを有するＲＦＩＤタグのユーザは、システムを使用して、以下のように販売者とキャッシュレス・トランザクションを実行することができる。販売者の店舗に到着すると、またはその後トランザクションを実行中に、第１の識別を決定する（図１の方法のステップ１０２）ために、顧客の第１の識別デバイスが読取装置２１０によって読み取られる。第１の識別は、第１の識別デバイスから固有の識別子を検出する第１の読取装置２１０によって、実行することができる。この識別は、読取装置２１０から支払いシステム販売者端末２０４に渡される。前述のように、第１の識別が第１の識別デバイスから読み取られる時点は、選択された本発明の実施に応じて異なる可能性があるが、典型的には、顧客の第１の識別デバイスが読取装置２１０の読み取り範囲内に入るとすぐに実行されることになる。逆に言えば、第１の読取装置２１０は、トランザクション処理を開始するために、支払いシステム販売者端末２０４によって活動化することができる。いずれの場合も、支払いシステム販売者端末２０４は、第１の識別デバイスから受け取った第１の識別子を、介在ネットワーク２０６を介して支払いシステム・サーバ２０２に送信する。
【００７５】
支払いシステム・サーバ２０２は、通常、図１の方法のステップ１０４に関して前述したように、その後、事前許可を実行するためにデータを得ることができる顧客アカウントのデータベースを含むことになる。具体的に言えば、支払いシステム・サーバ２０２は、第２の識別デバイスを使用してトランザクションを許可するために顧客が試行する方法のステップ２０６を見越して、個人識別デバイスに関連付けられた第２の識別子のセットを決定することになる。事前許可が正常に実行された場合、顧客は第２の識別デバイスを使用してトランザクションを許可する。
【００７６】
このステップを自動化する代わりに、このステップは好ましくは、たとえば、第２の識別デバイスを活動化すること、または第２の識別デバイスを読取装置２１２に提示することによって、顧客がトランザクションを明確に許可することを要求する。第２の識別は、たとえば、２次元記号読取装置によって読み取り可能な２次元記号が書き込まれたデバイスとすることができる。
【００７７】
読取装置２１２は、第２の識別デバイスを読み取り、第２の識別デバイスに関連付けられた固有の識別子を支払いシステム販売者端末２０４に渡す。次に、これが、読取装置２１０によって決定された第１の識別に関連付けられた１つまたは複数の第２の識別と比較される。
【００７８】
第２の識別子が、第１の識別子に関連付けられた有効な第２の識別子である場合、トランザクションは許可され、第２の識別子に関連付けられた金融アカウントを使用して処理されることになる。第２の識別が第１の識別に関連付けられていない場合、トランザクションは拒否され、トランザクションに対する代替の支払い方法が使用されなければならない。
【００７９】
当業者であれば理解されるように、読取装置２１２によって読み取られた第２の識別子を、読取装置２１０によって読み取られた第１の識別子に関連付けられた１つまたは複数の第２の識別子のセットと比較するステップは、支払いシステム販売者端末２０４または支払いシステム販売者サーバ２０２のいずれかで実行することができる。より小規模なシステムでは、サーバ側の認証プロセスを有することが実用的な場合がある。しかしながら、システム・サーバ２０２にかかる処理負荷が大きくなり過ぎる可能性のある、より大規模なシステムでは、多くのトランザクションが処理されている場合、サーバの処理負荷を軽減するために、販売者側のトランザクション認証を使用することができる。販売者側の認証が使用される場合、事前許可ステップは、販売者端末２０６が認証を実行できるようにするために、トランザクションを許可するための基準セット、トランザクションを許可するための有効な第２の識別のリストなどの、十分なアカウント・データを、販売者端末２０６に送信するステップを含むことになる。前述のように、第１と第２の識別デバイス間の関連をデバイス自体に符号化して、ネットワーク内のデータ・トラフィック、支払いシステム・サーバ上の処理負荷、および場合によってはトランザクション時間を、さらに減少させることができる。たとえば、第２の識別デバイスから読み取られたデータは、その関連付けられた第１の識別デバイスの識別を含む可能性がある。別の方法として、支払いシステムは、第２の識別デバイスから読み取られたデータを復号するために、関連付けられた第１の識別デバイスからのデータを必要とする（あるいはその逆）可能性がある。
【００８０】
当業者が知ることになる他の要素を使用して、支払いシステム販売者端末２０４、支払いシステム・サーバ２０２、およびオプションで販売者ＰＯＳ端末２０８の間で、支払いシステムの機能をどのように分割できるかを決定することができる。ある一定の他の実施形態では、顧客の署名を使用せずに処理を可能にするためおよびトランザクションを許可するために、ＰＯＳ端末に関連するアカウント・データを提供するために使用されているキャッシュレス・トランザクション・システムを使用して、販売者のＰＯＳ端末によって、キャッシュレス・トランザクションを、顧客の銀行アカウント、たとえばクレジット・カード・アカウントに対して直接処理することができる。
【００８１】
例示的実施形態では、支払いシステム・サーバ２０２はウェブ・サーバ２１４にも結合される。ウェブ・サーバ２１４は、キャッシュレス支払いシステムによる顧客アカウントの確立および管理を可能にするために、支払いシステムにウェブ・ページ・インターフェースを提供するように構成される。次に、アカウント基準プロセスについて、より詳細に説明する。
【００８２】
図３は、キャッシュレス・トランザクション・システムで使用するためのアカウントを確立するための方法のステップを示すフローチャートである。
【００８３】
本発明者等は、料金支払いに使用されるＲＦＩＤタグなどのマシン読み取り可能識別デバイスの急増に伴い、キャッシュレス・トランザクションに好都合に使用可能な識別デバイスの基礎が既に存在することを理解した。さらに本発明者等は、こうした識別デバイスのユーザが、比較的セキュアなトランザクション環境を作成するために、固有に識別可能な識別デバイスを固有の第２の識別デバイスおよび金融アカウントにリンクさせることによって、キャッシュレス・トランザクションを実行するためにアカウントをセットアップできることも特定付けた。この状況により、キャッシュレス・トランザクションに関する少なくとも２要素の認証、およびトランザクションを実行する人物を固有に識別するための機能が実行可能である。
【００８４】
次に図３を見ると、第１の識別デバイスとして使用可能なデバイスをすでに所有している顧客によって使用される、キャッシュレス・トランザクション・アカウントを確立するためのプロセスが示されている。通常、経済上ではこうした多くの個人が存在するため、たとえば、自動化された料金支払いを実行するためにＲＦＩＤトークンを使用する特定の料金支払いシステムのユーザなど、複数の第１の識別子がすでに使用されている。この場合、ステップ３０２で、複数の第２の識別子をこれらのユーザ間で分散させることができる。
【００８５】
好ましい実施形態では、第２の識別デバイスは、たとえば、当業者にわかる方式で、２次元記号読取装置によって読み取ることができる２次元記号などの、マシン読み取り可能識別を含む。このデバイスは、以下で説明するように、第２の識別デバイスを第１の識別デバイスに関連付けるために登録プロセスで使用可能な、関連付けられた人間が読み取り可能な識別子も含むことができる。
【００８６】
次のステップでは、アカウント・データベースが提供される。アカウント・データベースは、通常、第１の識別デバイスの１人または複数のユーザに関して、キャッシュレス・トランザクション・アカウントに関するデータを格納する、関係データベースとなる。たとえば、データベースは、第１の識別デバイスに関連付けられた固有に識別可能な識別子、対応する第２の識別デバイスに関連付けられた固有に識別可能な識別子、個人識別番号またはパスワードなどの他の識別子、第１あるいは第２の識別デバイスまたはその両方の許可されたユーザの詳細、ならびに、第２の識別デバイスの使用にリンクされた金融アカウント、などの、データを格納するフィールドを含むことができる。当業者が容易に確認できる他のアカウント・データを、アカウント・データベースに格納することもできる。
【００８７】
次にステップ３０６で、システム・オペレータは、１つまたは複数の分散された第２の識別デバイスを第１の識別デバイスに関連付けるために、第１の識別デバイスのユーザに、アカウント・データベースを更新する機能を提供する。この点に関して、このステップは、オンラインまたはウェブ・ベースのインターフェースをアカウント・データベースに提供すること、または、データ入力パーソナル（personal）を使用することによって、実行可能である。別の方法として、自動化された音声応答システムを使用して、第１の識別デバイスのユーザからデータを収集することもできる。
【００８８】
第２の識別デバイスと第１の識別デバイスとの間の関連を作成するために、第１の識別デバイスの許可されたユーザは、第２の識別デバイスに関連付けられた固有の識別コードを、アカウント・データベースの適切なデータベース・フィールドに入力するだけである。第２の識別デバイスを使用してキャッシュレス・トランザクションを実行するためにアカウントを運用することが許可された個人の名前、および関連付けられたアカウントの詳細も、許可されたユーザによって適切なデータベース・フィールドに入力される。
【００８９】
図４のシステム４００を使用して、図３に示し、上記で説明した方法の実施を例示することができる。このシステムは、複数のウェブ・ページを含むウェブサイト４０２を生成するために使用可能なデータを格納するように構成された、図１に関連して説明したウェブ・サーバ２１４を含む。ウェブ・ページ４０２は、インターネットなどのデータ伝送ネットワーク２０６を介した、リモート・コンピュータ端末４０４および４０６のユーザによるダウンロードに使用することができる。一定の実施形態では、支払いシステム・サーバを、ウェブ・サーバ２１４と同じサーバ・ユニットに組み込むことができる。
【００９０】
端末４０４および４０６は、通常、パーソナル・コンピュータとなるが、他のネットワーク化可能なコンピュータ・デバイスとすることもできる。好ましい実施では、リモート・コンピュータ４０４および４０６のうちの１つのユーザは、自分のそれぞれのリモート・コンピュータ端末４０４および４０６で実行中のブラウザ・アプリケーションを使用して、ウェブ・サーバ２１４でアクセスできるようにされたウェブサイト４０２を表示することができる。ウェブ・サーバは、ウェブ・ページを使用して、支払いシステム・データベース４０８へのインターフェースを提供する。
【００９１】
支払いシステム・データベース４０８は、通常、関係データベースとなり、キャッシュレス・トランザクション・システムのそれぞれのユーザに関するトランザクション・システム・アカウント・データを含む複数の記録を格納するように構成することができる。例示的な記録４１０が記述されている。記録４１０は、以下のタイプのデータを含む。
・キャッシュレス・トランザクション・システムにアクセスする場合に、ユーザによって使用される、第１の識別デバイスに関する識別データ４１２
・キャッシュレス・トランザクション・システムを使用するトランザクションを許可するために、ユーザによって使用される、第２の識別デバイスに関する識別データ４１４
・システムを使用して処理されたトランザクションをまとめる（settle）場合に使用される、金融アカウント（またはアカウント）を指定する、金融アカウント・データ４１６
・名前、年齢、および連絡先データ、またはユーザなどの、個人データ４１８
・ユーザ・アカウントにも格納されるように、トランザクションに関する許可基準を設定するために使用可能な、アカウント・プリファレンス・データ（図示せず）４１０
【００９２】
前述のデータ・タイプは、単なる例として与えられたものであり、実行される本発明の実施に応じて変更可能である。当業者であれば、どのようなタイプのデータをアカウント・データベース２０８に格納すべきであるかの決定、およびこのデータを格納するために好適なデータベース構造の確立が、容易に実行できるであろう。
【００９３】
支払いシステム・データベース４０８は、通常、とりわけ、トランザクションを処理するためにキャッシュレス・トランザクション・システムを実行する、支払いシステム・サーバ（図示せず）によってもアクセス可能となる。支払いシステム・サーバは、トランザクション処理システムによって処理されたトランザクションから収集可能な、顧客の消費性向、製品の好み、および他のプロファイル・データを追跡するために使用可能な、各トランザクション・システム・アカウント４１０に対応する顧客プロファイル４１９も格納することができる。顧客のロイヤルティおよび報酬プログラム・データを、データベース４０８に格納することもできる。
【００９４】
システム４００は、キャッシュレス・トランザクション・システムで使用するためのアカウントを作成するために、以下のように使用することができる。
【００９５】
キャッシュレス・トランザクション・システムで使用するためのアカウントを登録するための典型的なプロセスは、好適な第１の識別デバイスを有する、たとえば４０４または４０６などのユーザによって開始される。ユーザ４０４または４０６が、適切なタイプの第１の識別デバイスをまだ所有していない場合、このユーザは、ウェブ・サーバ２１４に常駐するウェブサイト４０２によって、どのように獲得するかを指示される可能性がある。
【００９６】
たとえばユーザ４０４には、システムで使用するための第２の識別デバイスが提供されるか、またはそうでなければこれを獲得することができる。
【００９７】
好ましい実施形態では、第２の識別デバイスは、マシン読み取り可能証印を含むカードまたはステッカーなどの、非常に低コストであり、容易に配布可能なアイテムである。第２の識別デバイスは、自由に配布可能であるか、または第１の識別デバイスのユーザに販売することができる。別の方法として、一般大衆が使用可能とするか、要求に応じて提供可能とすることもできる。
【００９８】
たとえば４０４または４０６などのユーザが、第１の識別デバイスおよび第２の識別デバイスを有する場合、そのユーザは、登録プロセスを開始することができる。これは、通常、ユーザが、ウェブ・サーバ２１４によって提供されたウェブサイト４０２にアクセスすることによって発生する。
【００９９】
例示の目的で、システム４００は、流通している４２０Ａから４２０Ｄの４つの使用可能な第２の識別デバイスを有するように示されている。この例では、識別デバイス４２０Ａおよび４２０Ｂは、データベース４０８に格納されたアカウントに関連付けられる。第２の識別デバイス４２０Ｃおよび４２０Ｄは、まだ第１の識別デバイスに関連付けられていないため、キャッシュレス・トランザクション・システム用の新しいアカウントを登録するために使用することができる。
【０１００】
アカウントを登録するために、たとえば端末４０４のユーザなどのユーザは、ウェブサイト４０２のページにアクセスする。その後このユーザは、ウェブサイト４０２の一部を形成するウェブ・フォームに必要なデータを入力することによって、新しいアカウントを作成することができる。この場合、端末４０４のユーザは、自分の個人データ４２２、金融アカウント・データ４２４、自分の第２の識別デバイスに関する識別データ４２０Ａ、および自分の第１の識別デバイスに関する識別データ４２６を、入力する。ユーザによって入力されたデータは、トランザクション・システム・データベース４０８内の対応するデータ・フィールドに格納される。
【０１０１】
システムへのデータの入力を容易にするために、好ましい実施形態では、第１および第２の識別デバイスが人間読み取り可能部分およびマシン読み取り可能部分を含む。人間読み取り可能部分は、印刷、表示、またはユーザに通信できるようにされた、識別デバイスのシリアル番号または他の識別子を含むことができる。この人間読み取り可能部分は、端末４０４のユーザが自分のアカウントをセットアップする場合に使用される。この人間読み取り可能データは、トランザクション・システムによって、ルックアップ・テーブルまたはそれと同様のものを使用して、識別子のマシン読み取り可能部分に具体化された固有の識別コードと相関させることができる。識別子のマシン読み取り可能部分に具体化された固有の識別コードは、トランザクションを処理する場合に使用される識別デバイスから読み取られるデータに含まれることになる。
【０１０２】
代替の実施形態では、第２の識別デバイスを、キャッシュレス・トランザクション・システムで使用するためのユーザのアカウントを登録するプロセスによって生成することができる。たとえば、アカウントの作成は、アカウントに対応する固有の識別子の生成を含むことができる。この識別子は、ユーザが第２の識別デバイスを作成できるようにするために、登録プロセス中にユーザに提供することができる。たとえば、登録プロセス中に作成された固有のコードを使用して、第２の識別デバイスとして後で使用するために印刷しておくようにユーザに伝送される、２次元記号またはバーコードなどの他のマシン読み取り可能証印を生成することができる。
【０１０３】
好都合なことには、２次元バーコード記号、または同様の証印が第２の識別デバイスとして使用される場合、その証印は粘着性の基板上に印刷して、ユーザの選択した便利なホルダに貼り付けることが可能なＩＤステッカーを形成することができる。たとえば、ユーザは、キャッシュレス・トランザクション・システムの使用を望むことになるほとんどの場合に、携帯電話を持ち歩いている可能性が高いと判断する可能性があり、この場合ユーザは、便宜上、自分のＩＤステッカーを自分の携帯電話カバーに貼ることができる。
【０１０４】
この例示的実施形態では、第１の識別デバイスの識別を含む他のデータも、第２の識別デバイスに符号化することができる。さらに、個人識別番号またはパスワードも第２の識別デバイスに符号化することができる。別の方法として、ユーザが、プログラム可能なスマート・カードなどのプログラム可能な第２の識別デバイスを有する場合、登録プロセス中に作成された固有のコードを符号化して、適切なデータ形式でユーザに伝送し、許可トランザクションで使用するためにプログラム可能な第２の識別デバイス上にアップロードすることができる。
【０１０５】
第１の識別デバイス４２６および第２の識別デバイス４２０Ａの詳細を、同じアカウントに格納することによって、この２つのデバイス間に関連が形成される。したがって、ある人物が両方のデバイスを所有する場合、キャッシュレス・トランザクション・システムを使用してトランザクションを実行することができる。
【０１０６】
図５は、本発明の実施形態に従って動作する、例示的システム５００を示す。図５に示されたタイプのシステムは、ファスト・フード・レストランのドライブ・スルー・レーン、ガソリン・スタンド、または、顧客が自分の自動車に近い位置でサービスを受ける他のタイプの小売環境に、便利に導入することができる。
【０１０７】
この例では、第１の識別デバイス５０２は、道路通行料を自動的に支払うためにドライバが一般に使用するタイプの、無線周波トランスポンダ・トークンである。このタイプのトークンは、通常、ユーザの自動車５０３に取り外しできるように取り付けられるため、この例の第１の識別デバイスとして使用するのに好適である。
【０１０８】
この例では、第２の識別デバイス５０４も無線周波識別（ＲＦＩＤ）トークンである。この場合、第２の識別デバイス５０４は、販売者によって伝送された励磁信号（図示せず）によって実行することになった場合にのみデータを伝送する、受動ＲＦＩＤトークンである。
【０１０９】
販売者側のシステム５００は、販売者の売り場専用システム、および前述のキャッシュレス・トランザクション処理システムの販売者側構成要素を含む。システム５００は、第１の識別デバイス５０２に使用されるタイプのＲＦＩＤトークンを読み取るように適合された、第１の読取装置５０６を有する。読取装置５０６は、たとえば、ドライブ・スルー・レーンへの入り口または駐車場への私設道入り口などの、特定の区域５０８を通過する、それぞれの自動車に取り付けられたＲＦＩＤトークンを読み取るように構成することができる。
【０１１０】
システム５００は、購買を処理できる販売者の売り場専用（ＰＯＳ）端末５１０も含む。ＰＯＳ端末５１０には、第２の識別デバイス５０４としてユーザによって使用されるタイプの受動ＲＦＩＤトークンを読み取るように適合された、第２のＲＦＩＤトークン読取装置５１２が関連付けられる。読取装置５１２は、読取装置の励磁信号によってカバーされた領域内に配置された場合に、第２の識別デバイスに伝送させる、励磁信号を発するように構成される。
【０１１１】
第１の読取装置５０６、第２の読取装置５１２、およびＰＯＳ端末５１０は、図２に関連して上記で説明したタイプの支払いシステム販売者端末５１４を介して、販売者システムに接続される。
【０１１２】
使用に際して、顧客が自分の自動車５０３を運転して、第１の読取装置５０６によって監視される区域５０８を通過させた場合、読取装置５０６は顧客のＲＦＩＤトークン５０２を読み取る。このデータが支払いシステム販売者端末５１４に渡され、前述のように、顧客のトランザクションを事前許可するために使用される。
【０１１３】
その後顧客は、トランザクションに対する支払いがキャッシュレス・トランザクション・システムを使用して実行される点を除き、履行および価格付けトランザクションを販売者のＰＯＳ端末を介して通常の様式で処理しながら、通常通り、自分の注文を実行するか、または購入する商品を選択することができる。ほとんどのシステムにおいて、顧客または販売者の顧客サービス代行者は、キャッシュレス・トランザクション・システムが使用されることを示す、ＰＯＳ端末上の支払いタイプを選択することになるが、このステップはオプションである。
【０１１４】
トランザクションを許可するために、第２の読取装置５１２を使用して、顧客の第２のＲＦＩＤトークン５０４が読み取られる。このデータが支払いシステム販売者端末５１４に渡され、前述のように顧客のトランザクションを許可するために使用される。
【０１１５】
トランザクションが許可された場合、購入は完了する。他方で、トランザクションが許可されなかった場合、顧客は他の形の支払いを使用して、トランザクションを完了するように要求することができる。
【０１１６】
上記の内容からわかるように、本発明の実施形態は、ドライブ・スルーの小売状況におかれた顧客にとって特に便利であり、顧客および販売者の両方に、比較的セキュアなトランザクションを提供する。事前許可ステップは、アカウント内の資金が不十分な顧客によってトランザクションが不渡りになることから販売者を保護することが可能であり、２重要素の識別がアカウントを未許可で使用する確率を低下させることから、顧客を保護する。許可規則を設定する機能も、設定された一定の期間にわたって、トランザクション額を最大にすること、あるいは総計トランザクション額を最大にすること、またはその両方を可能にすることによって、自分のアカウント不正使用の顧客のリスクを最小限にする。第２の識別デバイスが暗号化された個人のＰＩＮまたパスワードをオプションで含める機能は、不正使用および識別盗難の機会をさらに最小限にする。システムは、いずれかの識別デバイスが盗まれたかまたは紛失したことが報告された場合、アカウントを一時停止できるように設定することもできる。
【０１１７】
理解されるように、多くのドライバによって使用される料金支払いトークンは、通常、ファミリー・カーまたは従業員グループによって使用される社用車など、複数のドライバが同乗した車で使用される。本発明の諸実施形態は、車の各ユーザにトランザクション処理システムで別々の顧客アカウントを有するよう要求することによって、したがって、各ユーザに異なる第２の識別デバイスを有するよう要求することによって、この状況に対処することができる。この場合、第２の識別ステップを使用して、どのドライバがトランザクションを実行しているかの識別、ならびにトランザクションの許可が実行される。
【０１１８】
このように、本発明の実施形態は、依然としてユーザとアカウントとの間で１対１の関係を維持することが可能であり、これによって、マーケティング、購買習慣、および人口統計データを、より効果的に収集することができる。
【０１１９】
それぞれが専用のＲＦＩＤトークンを有する複数の車をユーザが定期的に運転する場合、複数の第１の識別デバイスをユーザのアカウントに関連付けることが可能であり、したがって、トランザクションの事前許可に使用することができる。
【０１２０】
本発明の適用範囲は、本明細書に記載された識別デバイスの例示的タイプに限定されないことに留意されたい。むしろ本発明は、
無線周波識別（ＲＦＩＤ）トークン、
磁気ストライプ・カード、
接触および非接触、マイクロチップ・ベースのスマート・カード、
バーコード、
２次元記号またはマシン認識可能証印、
網膜スキャン、指紋スキャン、音声スキャン、人相スキャンなどの、生体認識、
ドア・キー、車両キー、などの物理キー、
のタイプを含むが、これらに限定されることのない、任意のタイプのマシン検出可能またはマシン読み取り可能の識別デバイスまたはトークンが使用できるものとみなすべきである。
【０１２１】
本明細書に開示および定義された発明は、本文または図面から言及または明らかにされた、個々の特徴のうちの２つまたはそれ以上のすべての代替の組み合わせにまで及ぶものであることを理解されよう。これらの異なる組み合わせのすべてが、本発明の様々な代替の態様を構成する。
【図面の簡単な説明】
【０１２２】
【図１】本発明の実施形態に係るキャッシュレス・トランザクションを処理する方法のステップを示すフローチャートである。
【図２】本発明の第１の実施形態に係るキャッシュレス・トランザクションを処理するためのシステムを示す概略図である。
【図３】本発明の実施形態に係るキャッシュレス・トランザクションで使用するためのアカウントを確立する方法のステップを示すフローチャートである。
【図４】本発明の第１の実施形態に係るキャッシュレス・トランザクション・システムにアカウント・データを格納するためのシステムを示す概略図である。
【図５】本発明の実施形態に従って動作する例示的システムを示す図である。
【図１】
2008518332.tif 000003
【図２】
2008518332.tif 000004
【図３】
2008518332.tif 000005
【図４】
2008518332.tif 000006
【図５】
2008518332.tif 000007
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
第１の識別デバイスから第１の識別を決定するステップと、
第１の識別に基づいて、キャッシュレス・トランザクションを事前許可するステップであって、
（ａ）第１の識別に基づいて前記第１の識別デバイスを使用することが許可された、ユーザまたはユーザのグループを識別するステップと、
（ｂ）第１の識別に基づいて前記トランザクションで使用されることになる１つまたは複数の金融アカウントを識別するステップと、
（ｃ）トランザクションを許可するために使用可能な、前記第１の識別デバイスに関連付けられた有効な第２の識別が存在するかどうかを識別するステップと、
を含む、事前許可するステップと、
第２の識別デバイスから第２の識別を決定するステップと、
前記第１の識別および前記判別された第２の識別が関連している場合、前記キャッシュレス・トランザクションを許可するステップと、
を含み、
前記第２の識別を決定するステップが、金融アカウントと、前記第１の識別デバイスに関連付けられた前記金融アカウントを運用するように許可されたユーザとを、識別するステップを含み、
前記事前許可するステップが、複数の許可されたユーザまたは前記第１の識別デバイスに関連付けられた金融アカウントを識別する場合、前記第２の識別を決定するステップが、どのユーザ、および前記第１の識別デバイスに関連付けられたどの前記金融アカウントが、前記トランザクションで使用されることになるかを識別するステップを含む、
キャッシュレス・トランザクションを処理する方法。
【請求項２】
前記第１の識別デバイスから前記第１の識別を決定するステップが、前記第１の識別デバイスに対応する固有の識別子を決定するステップを含む、請求項１に記載の方法。
【請求項３】
前記キャッシュレス・トランザクションを事前許可するステップが、
キャッシュレス・トランザクションを実行するために前記第１の識別デバイスを使用することが許可されたユーザあるいはユーザのグループに関する、ユーザ・プロファイル・データを取り出すステップと、
前記トランザクションを許可するために合致しなければならない少なくとも１つの許可基準を決定するステップと、
のうちの、１つまたは複数を含む、請求項１または２のいずれか一項に記載の方法。
【請求項４】
前記第１の識別デバイスから前記第１の識別を決定するステップが、前記第１の識別デバイスから識別データを受け取るステップを含むことができる、請求項１ないし３のいずれか一項に記載の方法。
【請求項５】
前記第１の識別デバイスから前記第１の識別を決定するステップが、前記第１の識別デバイスから前記識別データを読み取るステップをさらに含む、請求項４に記載の方法。
【請求項６】
前記第１の識別デバイスおよび前記第２の識別デバイスのうちのいずれか１つまたはその両方が、無線周波トランスポンダである、請求項１ないし５のいずれか一項に記載の方法。
【請求項７】
許可基準が、
前記トランザクションを実行するユーザの識別、
前記トランザクションの額、
トランザクション額の限界、
ユーザ・アカウントの状況、
金融アカウントの状況、
金融収支、
前記トランザクションが実行される場所、
前記トランザクションの時間及び日付の少なくとも一つ、並びに、
前記第１の識別と前記第２の識別の間に形成された関連のタイプ、
のうちの、少なくとも１つの要素に基づくものである、請求項１ないし６のいずれか一項に記載の方法。
【請求項８】
前記第２の識別デバイスから第２の識別を決定するステップが、前記第２の識別デバイスから識別データを受け取るステップを含む、請求項１ないし７のいずれか一項に記載の方法。
【請求項９】
前記第２の識別デバイスから第２の識別を決定するステップが、前記第２の識別デバイスから前記識別データを読み取るステップをさらに含む、請求項８に記載の方法。
【請求項１０】
前記第２の識別デバイスが受動識別デバイスである、請求項１ないし９のいずれか一項に記載の方法。
【請求項１１】
前記第２の識別デバイスがマシン読み取り可能証印を含む、請求項１０に記載の方法。
【請求項１２】
前記マシン読み取り可能証印が、１次元バーコードまたは２次元バーコード記号である、請求項１１に記載の方法。
【請求項１３】
前記第２の識別デバイスから前記第２の識別を決定するステップが、前記第２の識別デバイスに対応する固有の識別子を決定するステップを含む、請求項１ないし１２のいずれか一項に記載の方法。
【請求項１４】
前記方法が、前記第２の識別が前記第１の識別に関連付けられているかどうかを判別するステップをさらに含む、請求項１ないし１３のいずれか一項に記載の方法。
【請求項１５】
前記第２の識別が前記第１の識別に関連付けられているかどうかを判別するステップが、前記第１の識別デバイスが前記第２の識別デバイスに関連付けられているかどうかを判別するためにアカウント・データベースからデータを得るステップを含む、請求項１４に記載の方法。
【請求項１６】
前記第２の識別が前記第１の識別に関連付けられているかどうかを判別するステップが、
前記第１および第２の識別デバイスのうちの１つまたは両方から受け取った暗号化されたデータの復号を試行するステップと、
それぞれ他方の識別デバイスから受け取ったデータを使用するステップと、
前記復号が正常に実行された場合、前記第２の識別デバイスと前記第１の識別デバイスとの間に形成された関連を検証するステップと、を含む、請求項１４または１５のいずれか一項に記載の方法。
【請求項１７】
前記第２の識別が前記第１の識別に関連付けられているかどうかを判別するステップが、前記識別デバイス間に関連が形成されたかどうかを判別するために、前記第１の識別デバイスから取得したデータの少なくとも一部を、前記第２の識別デバイスから取得したデータの少なくとも一部と比較するステップを含む、請求項１４から１６のいずれか一項に記載の方法。
【請求項１８】
前記方法が、前記トランザクションに関するトランザクション・データを格納するステップをさらに含む、請求項１ないし１７のいずれか一項に記載の方法。
【請求項１９】
前記トランザクション・データが、
トランザクション額データ、トランザクション参加者データ、前記トランザクションの性質を記述するデータ、前記第１の識別デバイスから決定された前記識別、前記第２の識別デバイスから決定された前記識別、前記トランザクションの時間あるいは日付またはその両方、並びに、前記トランザクションが実施された場所、のうちの１つまたは複数のタイプのトランザクション・データを含む、請求項１８に記載の方法。
【請求項２０】
トランザクションを許可するために、ユーザから許可コードを受け取るステップをさらに含む、請求項１ないし１９のいずれか一項に記載の方法。
【請求項２１】
前記許可コードが個人識別番号（ＰＩＮ）またはパスワードである、請求項２０に記載の方法。
【請求項２２】
第１の識別デバイスからの第１の識別を読み取るように構成された、少なくとも１つの第１の読取装置と、
第２の識別デバイスからの第２の識別を読み取るように構成された、少なくとも１つの第２の読取装置と、
前記第１の識別および前記第２の識別が互いに関連付けられている場合、前記トランザクションを許可するように構成されたトランザクション処理システム・コンピュータと、
複数のユーザ・アカウントに関するアカウント・データと、少なくとも１つのそれぞれの第１の識別デバイスに対応する少なくとも１つの識別子を含む各ユーザ・アカウントに関するアカウント・データと、少なくとも１つのそれぞれの第２の識別デバイスに対応する少なくとも１つの関連付けられた識別子と、を含む、アカウント・データベースを格納する、前記トランザクション処理システム・コンピュータと通信するデータ格納手段と、
を含み、
ユーザ・アカウントが、複数の第２の識別デバイスに対応する複数の第２の識別子を含む場合、金融アカウントが前記第２の識別子のサブセットに関連付けられる、
キャッシュレス・トランザクションを処理するためのシステム。
【請求項２３】
前記アカウント・データが、トランザクションで使用可能な前記ユーザ・アカウントに関連付けられた少なくとも１つの金融アカウントを識別する、金融アカウント・データを含む、請求項２２に記載のシステム。
【請求項２４】
前記トランザクション処理システム・コンピュータが、前記第１の識別および前記第２の識別が同じユーザ・アカウントに関連付けられているかどうかを判別するために、前記第１の識別に基づいて前記データベースからデータを得るようにさらに構成される、請求項２２又は２３に記載のシステム。
【請求項２５】
前記トランザクション処理システム・コンピュータが、前記第１の識別および前記第２の識別が前記同じユーザ・アカウントに関連付けられているかどうかを判別するために、それぞれの他方の識別デバイスから受け取ったデータを使用して、前記第１および前記第２の識別デバイスのうちの１つまたは両方から受け取った暗号化されたデータを復号するようにさらに構成される、請求項２２から２４のいずれか一項に記載のシステム。
【請求項２６】
前記復号が正常に実行された場合、前記トランザクション処理システム・コンピュータが、前記第２の識別デバイスと前記第１の識別デバイスとの間に関連が形成されたことを検証するように構成される、請求項２５に記載のシステム。
【請求項２７】
前記トランザクション処理システム・コンピュータが、前記第１の識別に基づいて、キャッシュレス・トランザクションを事前許可するようにさらに構成される、請求項２２から２５のいずれか一項に記載のシステム。
【請求項２８】
キャッシュレス・トランザクションの事前許可が、
前記第１の識別に対応するユーザ・アカウントが少なくとも１つの関連する第２の識別子を有することを、前記アカウント・データベースから識別するステップと、
前記第１の識別に対応する複数のユーザ・アカウントそれぞれの第２の識別子のグループを識別するステップと、
第１の識別に基づいて、前記トランザクションで使用されることになる金融アカウントを識別するステップと、
前記トランザクションを許可するために合致しなければならない少なくとも１つの許可基準を決定するステップと、
のうちの、１つまたは複数を含む、請求項２７に記載のシステム。
【請求項２９】
前記第１または前記第２の識別デバイスのうちの１つまたは両方が能動識別デバイスである場合、前記第１または前記第２の読取装置のうちの少なくとも１つが、前記第１または前記第２の識別デバイスのうちの１つまたは両方からの伝送を受信するように構成された受信機を含む、請求項２２から２８のいずれか一項に記載のシステム。
【請求項３０】
前記第１または前記第２の読取装置のうちの少なくとも１つが、前記第１または前記第２の識別デバイスのうちの１つまたは両方へ励磁信号を送信するように構成された送信機を含む、請求項２９に記載のシステム。
【請求項３１】
前記第１または前記第２の識別デバイスのうちの１つまたは両方が能動識別デバイスである場合、前記励磁信号が、前記第１または前記第２の識別デバイスのうちの１つまたは両方からの応答をトリガするように構成される、請求項３０に記載のシステム。
【請求項３２】
前記第１または前記第２の識別デバイスのうちの１つまたは両方が受動識別デバイスである場合、前記励磁信号が、前記第１または前記第２の識別デバイスのうちの１つまたは両方によって少なくとも部分的に反映されるように構成される、請求項３０または３１のいずれか一項に記載のシステム。
【請求項３３】
前記第１および前記第２の読取装置が異なるタイプである、請求項２２から３２のいずれか一項に記載のシステム。
【請求項３４】
前記第１および前記第２の読取装置のうちの少なくとも１つが、無線周波トランスポンダ読取装置である、請求項２２から３３のいずれか一項に記載のシステム。
【請求項３５】
前記第２の読取装置が記号読取装置である、請求項２２から３４のいずれか一項に記載のシステム。
【請求項３６】
前記トランザクション処理システム・コンピュータおよび前記少なくとも１つの読取装置とデータ通信中のリモート端末をさらに含み、
前記リモート端末は、前記少なくとも１つの読取装置からの識別データを受信するように、および前記識別データを前記トランザクション処理システム・コンピュータに送信するように、構成される、請求項２２から３５のいずれか一項に記載のシステム。
【請求項３７】
前記リモート端末が、販売者または他のトランザクション参加者の売り場専用システムと通信するように構成された、インターフェース構成要素を含む、請求項３６に記載のシステム。
【請求項３８】
前記インターフェース構成要素が、前記トランザクション処理システム・コンピュータと通信するために、前記キャッシュレス・トランザクション用のトランザクション・データを受信するように構成される、請求項３７に記載のシステム。
【請求項３９】
前記システムが、ユーザ・アカウントの確立あるいは編集またはその両方が実行可能なように構成された、アカウント・インターフェース構成要素をさらに含む、請求項２２から３８のいずれか一項に記載のシステム。
【請求項４０】
前記アカウント・インターフェース構成要素が、ウェブサイトとして実施される、請求項３９に記載のシステム。
【請求項４１】
第１の識別デバイスのユーザによってキャッシュレス・トランザクションを実行するために使用されることになるアカウントの確立を実行可能にする方法であって、前記キャッシュレス・トランザクションが、第２の識別デバイスを使用して許可され、前記方法が、
（ｉ）アカウント・データを格納するためのアカウント・データベースを提供するステップと、
（ｉｉ）１つまたは複数の第２の識別デバイスを、第１の識別デバイスのユーザに配布するステップと、
（ｉｉｉ）
（ａ）第１の識別デバイスを識別するデータと、
（ｂ）第２の識別デバイスを識別するデータと、
（ｃ）少なくとも１つの金融アカウントに関する金融アカウント・データと、
を含むアカウント・データを、ユーザから受信するステップと、
（ｉｖ）前記第１の識別デバイスと、前記第２の識別デバイスと、少なくとも１つの金融アカウントとの間に、関連を確立することによって、前記キャッシュレス・トランザクション処理システム内で使用するためのアカウントを作成するステップと、
を含む、方法。
【請求項４２】
トランザクションを許可するために、前記第２の識別デバイスと共に使用されることになる許可コードを受信するステップをさらに含む、請求項４１に記載の方法。
【請求項４３】
前記許可コードは、個人識別番号またはパスワードとすることが可能であり、
前記許可コードは、前記第１あるいは前記第２の識別デバイスまたはその両方から受信したデータを復号するために、使用することができる、請求項４２に記載の方法。
【請求項４４】
１つまたは複数の第２の識別デバイスを配布するステップが、第２の識別デバイスの生成を可能にするために、第２の識別デバイスを代表するデータを送信するステップを含む、請求項４１に記載の方法。
【請求項４５】
第１の識別デバイスに関連付けられていない複数の固有の第２の識別デバイスを提供するステップをさらに含む、請求項４１から４４のいずれか一項に記載の方法。
【請求項４６】
関連が、所定の第１の識別デバイスとのみ関連付けることができるように、所定の第１の識別デバイスと事前に関連付けられた第２の識別デバイスを提供するステップをさらに含む、請求項４１から４４のいずれか一項に記載の方法。
【請求項４７】
前記第１の識別デバイスと、前記複数の第２の識別デバイスのうちの少なくとも１つとの間に、前記関連を確立するステップが、前記アカウント・データベース内に格納するために、
前記第１の識別デバイスのユーザの名前と、
前記第２の識別デバイスに関連付けられた識別子と、
前記ユーザに関する人口統計データと、
キャッシュレス・トランザクションで使用されることになるアカウントに関する金融アカウント・データと、
のうちの、少なくとも１つのタイプのデータを取得するステップを含む、請求項４６に記載の方法。
【請求項４８】
前記アカウント・データベースの更新を可能にするために、少なくとも１つのウェブ・ページを含むウェブサイトを提供するステップをさらに含む、請求項４１から４７のいずれか一項に記載の方法。
【請求項４９】
前記第１の識別デバイスに関する前記アカウント・データを更新するステップが、前記第１の識別デバイスの許可されたユーザによってのみ実行可能である、請求項４８に記載の方法。
【請求項５０】
複数の第２の識別デバイスを、前記第１の識別デバイスに関連付けることができる、請求項４１から４９のいずれか一項に記載の方法。
【請求項５１】
前記第１の識別デバイスの各ユーザが、固有の第２の識別デバイスに関連付けられる、請求項５０に記載の方法。
【請求項５２】
前記第１の識別デバイスが無線周波識別デバイスである、請求項４１から５１のいずれか一項に記載の方法。
【請求項５３】
前記第２の識別デバイスが、バーコードまたは２次元記号を含む、請求項４１から５２のいずれか一項に記載の方法。
【請求項５４】
第１の識別デバイスのユーザによってキャッシュレス・トランザクションを実行するために使用されることになるアカウントを確立する方法であって、前記キャッシュレス・トランザクションが、第２の識別デバイスを使用して許可され、前記方法が、
第１の識別デバイスを識別するデータと、
少なくとも１つの金融アカウントに関する金融アカウント・データと、
を含むアカウント・データを、ユーザから受信するステップと、
前記アカウントを使用するキャッシュレス・トランザクションを許可する際に使用するために、第２の識別デバイス内に符号化されることになる識別データを生成するステップと、
を含む、方法。
【請求項５５】
第２の識別デバイス内に符号化するための前記識別データを、ユーザに送信するステップをさらに含む、請求項５４に記載の方法。
【請求項５６】
前記識別データを使用する前記第２の識別デバイスを生成するステップをさらに含む、請求項５５に記載の方法。
【請求項５７】
前記第２の識別デバイスから取得されたデータが暗号化され、前記許可コードが、前記データを復号するために使用される復号スキームの一部を形成する、請求項１から２１のいずれか一項に記載の方法。
【国際調査報告】
2008518332.tif 000008
2008518332.tif 000009